(57)【特許請求の範囲】
【請求項１】
文字列を入力する複数の入力キーと、入力された文字列を表示する表示部と、印字媒体を着脱可能な内部空間である印字媒体装着部とを備え、本体上面に、当該印字媒体装着部を覆う開閉可能な蓋体と、前記入力キーとを配置した文字情報処理装置において、
前記表示部は、前記蓋体外面に配置され、
前記蓋体の開放時には、前記印字媒体を着脱可能にするべく前記印字媒体装着部を開口させると共に、前記表示部の表示を中止させ、前記蓋体の閉鎖時には入力された文字列を表示するべく前記表示部が前記本体上面の一部を為すように構成したことを特徴とする文字情報処理装置。
【請求項２】
さらに記憶媒体を着脱可能な内部空間である記憶媒体装着部を備えると共に、前記蓋体は、前記記憶媒体装着部をも覆うものであり、
前記蓋体の開放時には、前記印字媒体を着脱可能にするべく前記印字媒体装着部を開口させると共に、前記記憶媒体を着脱可能にするべく前記記憶媒体装着部を開口させ、前記蓋体の閉鎖時には、入力された文字列を表示するべく前記表示部が前記本体上面の一部を為すように構成した
ことを特徴とする請求項１に記載の文字情報処理装置。
【請求項３】
請求項１又は２に記載の文字情報処理装置において、
前記蓋体の開放前に前記表示部に表示されていた内容を記憶する、表示内容記憶部を更に有し、
前記蓋体の開放後、再び前記蓋体を閉鎖した時に、前記表示内容記憶部に記憶された表示内容を前記表示部に再び表示することを特徴とする文字情報処理装置。
【請求項４】
請求項１又は３に記載の文字情報処理装置において、
前記蓋体には更に、前記印字媒体が装着されているか否かを、前記蓋体外面から目視で確認可能な確認窓を、１又は複数個設けたことを特徴とする文字情報処理装置。
【発明の詳細な説明】
【０００１】
【発明の属する技術分野】
本発明は文字情報処理装置に関し、入力文字列を液晶ディスプレイなどの表示手段に表示すると共に、当該入力文字列をテープに印刷する印刷装置や、当該入力文字列を紫外線硬化樹脂などの印面部材に転写、形成する印章作成装置などに適用し得るものである。
【０００２】
【従来の技術】
従来この種の文字情報処理装置では、絵文字なども含む文字列を入力するための複数の入力キーや書体の切替えなどを行うための操作キーを備えた入力装置と、入力された文字列を画面表示するため、例えば液晶ディスプレイ（ＬＣＤ）などの表示部を備えた表示装置と、入力された文字列を印刷、転写したテープ、印章などを作成し出力するための出力装置が不可欠である。
【０００３】
出力装置の機械的な構成は、装填される未印刷、未転写状態のテープや印章をセットし確実に保持するための蓋体を備えている。機械的構成の簡略化、部品点数の低減のため、この蓋体は、軸回転することで開閉されるタイプの１枚蓋で構成されている。
【０００４】
この種の文字情報処理装置の基本的な動向として、多種の文字列を多様な態様で入力、表示、出力するため、入力キー数、操作キー数は増加する傾向にあり、コンパクト化、操作性の観点などからそれらのキー類は、通常の文字入力状態でユーザに相対する面、すなわち当該処理装置の本体の上面に集中的に配置される傾向にある。
【０００５】
したがって当該処理装置は一般に広い上面を持っている。
【０００６】
広い上面にはまた、主として操作性の観点から、表示装置、出力装置も配置され、通常の文字入力状態で本体上面中、ユーザの手前にあたる近接エリアにはキー類が集中している。また、文字を入力するユーザの手が表示装置の直視をさえぎらないように、本体上面中、やや離れた離間エリアには表示装置が配置され、表示装置よりも遠く、もしくは表示装置に並べて出力装置の蓋体が配置されている。
【０００７】
また、印章作成装置の場合、上述した出力装置は大きな開口を形成しやすい本体上面にだけ開口を持ち、この開口を通じて印章の装填や取出しを行う。そして前記蓋体のヒンジは、ユーザからもっとも遠い上面の上端に配置されている。
【０００８】
テープ印刷装置の場合も出力装置の蓋体の構成はほぼこれと同様であるが、そのたびに蓋体を開放しなくても印刷されたテープが印刷済みの部分から順番に出力され得るような構成が好ましいため、印刷テープ出力用の細いスリットを側面に備えており、１枚の蓋体が当該スリットを除く側面部の一部をもカバーできるような形状を持っている。
【０００９】
ユーザは表示装置を見て確認しながら入力キーを操作して文字列の入力を行い、所望の文字列を印刷転写したテープ、印章などを出力することができる。
【００１０】
【発明が解決しようとする課題】
ところで、上述した表示装置の表示部である液晶ディスプレイ部は、多数行、多数文字の入力文字列を一定の文字サイズで同時に画面表示するために、大きいほうが望ましい。
【００１１】
なぜならば当該液晶ディスプレイ部は、ただ単に入力文字列を画面表示するだけでなく、入力文字列とともに、前記テープや印面部材などにおける実際の当該入力文字列の形成状態、印刷状態に近い印刷イメージなどを表示することも求められるからである。
【００１２】
しかしながら従来のこの種のラベルライタの液晶ディスプレイ部は、液晶ディスプレイ部に画面表示中の入力文字列が、画面表示されていない文字も含めた全文章のなかで（したがって印刷されたテープ上で）何行目に相当するかを示す小サイズの数字である行頭マークなどを除き、２行４文字（あるいは４行６文字）までしか同時表示することができなかった。
【００１３】
従来でも、２行分の入力文字列の文字サイズを縮小して１行分に表示し、通常の１行分の表示エリアを印刷イメージのために当てることなどで、入力文字列と同時に印刷イメージを表示することは可能であるが、その場合には、印刷イメージで表示される文字サイズが小さすぎたり、入力文字列の表示エリアが実質的に１行分になってしまうなど、操作性の点で必ずしも十分ではなかった。
【００１４】
また、もしも従来のままの小さな液晶ディスプレイ部で、例えば４行１２文字の入力文字列を表示するとしたら、表示される文字のサイズが小さすぎて見づらいなどの問題が起こることが考えられる。
【００１５】
従って、液晶ディスプレイ部を拡大する必要性は高い。
【００１６】
文字情報処理装置の本体上面に露出している液晶ディスプレイ部の拡大は、本体上面部の拡大を意味し、すなわち文字情報処理装置の本体自体の大型化を意味する。
【００１７】
この種の特定用途に特化した文字情報処理装置は、例えば印刷済みのテープを切断するための機構を内蔵しているなど、電子回路的にはもちろん機械的構成の上でも様々な工夫が高度に集約されたされた装置であって、一般的な汎用タイプの文字情報処理装置（例えばワードプロセッサ）などに比べてコンパクト化の要求も高いことから、その本体の大型化は問題である。
【００１８】
【課題を解決するための手段】
（Ａ）  かかる課題を解決するために、本発明では、文字列を入力する複数の入力キーと、入力された文字列を表示する表示部と、印字媒体を着脱可能な内部空間である印字媒体装着部とを備え、本体上面に、当該印字媒体装着部を覆う開閉可能な蓋体と、前記入力キーとを配置した文字情報処理装置において、前記表示部は、前記蓋体外面に配置され、前記蓋体の開放時には、前記印字媒体を着脱可能にするべく前記印字媒体装着部を開口させると共に、前記表示部の表示を中止させ、前記蓋体の閉鎖時には入力された文字列を表示するべく前記表示部が前記本体上面の一部を為すように構成したことを特徴とする。
【００１９】
本発明においては、蓋体を開放して開口させた印字媒体装着部から印字媒体（例えばテープや印章など）を装填し、蓋体閉鎖時には、当該蓋体は装填されている印字媒体をカバーすると共にその外面でユーザが見やすい位置に表示部を支持する。すなわち蓋体を表示部の支持体としても活用することで、文字情報処理装置の本体上面において、印字媒体装着部と表示部とを重複して配置することが可能となるので、コンパクトな本体に大きな表示部を持たせることが可能になる。また、蓋体の開放時には、ユーザが入力キーによって入力しそれまで表示部に表示していた文字列の表示を中止することにより、必要ならば、消費電力を節約することも可能になる。
【００２３】
【発明の実施の形態】
（Ａ）実施形態
以下、本発明にかかる文字情報処理装置をテープ印刷装置（ラベルライタ）に適用した場合を例に、実施形態を説明する。
【００２４】
（Ａ−１）実施形態の構成および動作
本実施形態のラベルライタ１０を図１および図３に示す。ラベルライタ１０は、テープカートリッジの装填を受け、このテープカートリッジから送り出させたテープに対し、入力された文字列を指定された態様で転写（印刷）する装置である。転写方式としては薄膜サーマルヘッド４５（図２参照）を用いた熱転写方式を使用する。
【００２５】
文字列を転写された当該テープは、所定の操作に応じてラベルライタ１０から排出（出力）される。
【００２６】
図３において、入力キー１１は数字やかな、アルファベットなどを入力するためのキーで、操作キー１２はかな漢字変換などを行うためのキーである。入力キー１１、操作キー１２はＪＩＳ配列準拠キーボード式の配列となっている。
【００２７】
ハンドル１３は当該ラベルライタ１０を持ち運ぶ際に使用する携帯用の把持部である。
【００２８】
開閉キー１４は内部の機構と連動しているキーで、押し込むことによって上カバー１５の内面１５Ｂに形成されたフック５２（１５Ｂ、５２ともに図４参照）と内部機構との係合が解除されるようになっている。
【００２９】
上カバー１５の開放時の動作およびメカニズムについては種々の態様が考えられるが、本実施形態では、フック５２と内部機構との係合が解除されると付勢力によって上カバー１５がわずかに持ち上がり、つづいて手動で大きく開放することが可能なものとする。
【００３０】
上カバー１５は回転軸Ａ１を中心として軸回転することにより図３中、反時計方向、すなわち矢印Ｒの方向に、矢印Ｒの軌跡に沿って回転することで開放される蓋である。上カバー１５は例えばプラスチック成形で一体成形されている。
【００３１】
回転軸Ａ１の周辺の構造は、例えばノートタイプのパーソナルコンピュータのヒンジ部のように、入力キー１１側の電子回路と液晶ディスプレイ部１７とが電気的に接続されたままで機械的には回転可能な構成になっている。
【００３２】
液晶ディスプレイ部１７を外面１５Ａ（図５参照）で支持しているこの上カバー１５が開閉される角度は、矢印Ｒの軌跡からも明らかなように、少なくとも９０°よりも大きく、開放時の安定状態では、垂直よりも少しユーザ位置ＵＰから離れた方向に、重力の作用によって上カバー１５が安定するような構成である。本実施形態ではこの角度を約１２０°とする。
【００３３】
上カバー１５の上面の大部分は、透明なプラスチックからなる透明板１６によって覆われている。透明板１６は主としてその直下に配置されている液晶ディスプレイ（ＬＣＤ）部１７を保護するために配置されている。
【００３４】
透明板１６を貫通して上方に突出している表示操作キー１８は、前記入力キー１１や操作キー１２を用いて入力され、液晶ディスプレイ部１７に画面表示されている文字列の表示について付加的な操作、例えば書式、書体、装飾の変更や、印刷イメージの表示などを行わせるためのキーである。
【００３５】
従来のラベルライタの液晶ディスプレイ部に比べて拡大されているこの液晶ディスプレイ部１７は、一定サイズの文字（入力文字列）を、４行１２文字分、同時表示することができるドットマトリクス型のＬＣＤであり、印刷イメージＰＩを通常の文字サイズでＬ１、Ｌ２の２行分に表示するとともに入力文字列をＬ３、Ｌ４の２行分表示する。
【００３６】
なおこの印刷イメージＰＩは、表示操作キー１８の操作に応じて、表示され、消去される。
【００３７】
液晶ディスプレイ部１７の左右に設けられている確認窓１９、２０は、目視によって、テープカートリッジの種類を確認するためのテープ確認窓１９と、補助記憶媒体３８０であるファイルパック／ＲＯＭ（ＲＡＭでもよい）パック３８１の種類を確認するためのパック確認窓２０である。
【００３８】
なお、「ファイルパック／ＲＯＭパック」は、ファイルパックまたはＲＯＭパックの意味であるものとする。
【００３９】
ここで、ファイルパックとは、所定のファイルや外字を保存するためのメモリを内蔵したパック形状の補助記憶媒体であり、ＲＯＭパックとは行書体やスクリプトＰＬ体の文字などに対応するためのＲＯＭを内蔵したパック形状の補助記憶媒体である。
【００４０】
ラベルライタ１０の本体側面には、印刷済みのテープを排出するためのスリット１０Ｃが形成されている。
【００４１】
ラベルライタ１０本体の上カバー１５によって覆われている部分には、後述するテープカートリッジおよびパック類を収容するための凹部であるテープカートリッジ装填部５０およびパック装着部５１が設けられている。
【００４２】
テープカートリッジ（図示せず）は、文字列の転写を受けるテープリボンをロール状に巻き取って収容したカートリッジで、所定の表示箇所に当該テープのテープ幅などが記載されている。この表示箇所がテープカートリッジの装填時にちょうどテープ確認窓１９の直下に位置するため、ユーザはテープ確認窓１９を覗いてテープの種類を認識し得る。
【００４３】
テープカートリッジにはまた、テープのたるみや逆転を防止する防止機構が内蔵されていて、複数のテープ幅に対応したいくつかの種類が用意されている。
【００４４】
テープを使い切ってしまった場合はもちろん、テープ幅に応じて印刷できる文字列の行数が変わってくるなどの事情で、テープカートリッジを交換する必要が生じる。
【００４５】
同様に、ファイルパック／ＲＯＭパック３８１にも所定の表示箇所に当該パックの種類を示す情報が表示されており、パック確認窓２０を覗くことでユーザは、装着中のパックの種類を容易に確認し得る。
【００４６】
従って本実施形態のラベルライタ１０においては、上カバー１５は、入力文字列などの表示部である液晶ディスプレイ部１７を支持する機能とテープカートリッジなどを装填した際の蓋体としての機能をあわせもつことになる。
【００４７】
このようなラベルライタ１０で文字列を入力する場合、通常、ユーザは位置ＵＰ付近にいて、矢印ＵＤの方向からラベルライタ１０を操作し、ＵＰ直上の点ＥＰ付近の目の位置からＥＤ方向にラベルライタ１０を目視することになる。したがって液晶ディスプレイ部１７に表示される文字や、ラベルライタ１０の本体上に表示されている文字、線図などはすべて位置ＥＰから見たときに都合がよい方向性を持っている。
【００４８】
図１は、このようなラベルライタ１０の上面図、すなわち矢印Ｂ２方向から見た図である。
【００４９】
図１および図３において、位置ＵＰから入力キー１１、操作キー１２、あるいは表示操作キー１８を操作しながら、位置ＥＰから液晶ディスプレイ部１７を見るユーザにとっての操作性上、入力キー１１や操作キー１２の入力操作部１０Ｂは位置ＵＰに近い近接エリアＥ１に配置され、液晶ディスプレイ部１７の表示部１０Ａはこれらよりも位置ＵＰから遠い離間エリアＥ２に配置されるような上面ＵＳの配置構成をとる必要がある。
【００５０】
また、上カバー１５の回転軸Ａ１がラベルライタ１０の本体中、位置ＵＰから最も遠い上端ＵＥ付近に配置されているため、上カバー１５の開放状態では、ユーザはラベルライタ１０の本体を動かすことなく、文字列を入力する際の位置ＵＰからそのままテープカートリッジを装填したり取り替えたりすることができる。
【００５１】
ただし、上カバー１５の回転軸をＡ１ではなくＡ２のように右端付近に設定した場合でも、テープカートリッジの装填などの操作性は良好なので、そのようにしてもよい。もちろん左端付近に設定してもよい。
【００５２】
しかし近接エリアＥ１と離間エリアＥ２の境界付近に境界線に沿って（軸Ａ１と平行な方向に）上カバー１５の回転軸を設定してしまうと、テープカートリッジの交換などの際には開放される上カバー１５が、位置ＵＰからの目視をさえぎるので、ラベルライタ１０の向きを変えてテープカートリッジを交換しなければならないなど、操作性が低下して好ましくない。
【００５３】
パック類は従来、小型のラベルライタで本体上面に装着すると本体の大型化をもたらす可能性が高く、比較的大きい印章作成装置では本体底面（図３のＢＳに相当する面）に収容していたファイルパック／ＲＯＭパック３８１である。
【００５４】
なお、ラベルライタ１０の本体底面ＢＳには、乾電池を収容している。
【００５５】
図３および図１に示したラベルライタ１０について、上カバー１５を開放した状態を示した斜視図が図４である。図４の状態のラベルライタ１０の左側面図、すなわち矢印Ｂ１の方向から当該ラベルライタ１０を見た図が図５である。当該状態では上カバー１５は約１２０°開放されている。
【００５６】
図４において、上カバー１５の開放によって開口されたラベルライタ１０の内部空間の左側には、テープカートリッジを装填するテープカートリッジ装填部５０が、右側にはファイルパック／ＲＯＭパック３８１などを装着するパック装着部５１が設けられている。
【００５７】
以上のようなラベルライタ１０の電気的構成を図２に示す。
【００５８】
図２において、ラベルライタ１０の電子回路的、情報処理的構成である内部システム１０Ｅは他の一般の情報処理装置と同様、大きくは、入力部３０、制御部３１および出力部３２から構成されている。
【００５９】
制御部３１は入力部３０からの情報やその時点の処理段階に応じた処理を実行し、その処理結果などを、出力部３２によって前記液晶ディスプレイ部１７へ表示出力、またはテープへ印刷出力する。
【００６０】
入力部３０はキー入力部３３とテープ幅検出センサ３４とパック検出部３５と蓋開閉検出部３６とから構成されている。
【００６１】
キー入力部３３は前記入力キー１１、操作キー１２、表示操作キー１８の各キー操作に対応した電気信号を入力インタフェース３７に供給する回路である。
【００６２】
テープ幅検出センサ３４は装填されているテープカートリッジのテープ幅を検出し、検出結果に応じた信号を入力インタフェース３７に供給する回路である。
【００６３】
パック検出部３５は装着されているパックの種類に応じた信号を入力インタフェース３７に供給するほか、当該パックと制御部３１のインタフェースとしても機能する回路である。
【００６４】
蓋体開閉検出部３６は、例えば機械的なスイッチ動作によって上カバー１５の開閉を検出するスイッチである。
【００６５】
蓋開閉検出部３６が上カバー１５の開放を検出すると、所定時間（例えば数秒程度）経過後、ＲＡＭ３９のバックアップ用など一部を除いて内部システム１０Ｅは自身を構成する各電子回路（１７、３３〜３５、４４〜４８など）への電源供給を停止するので、ディスプレイ駆動回路４８への通電も停止されて液晶ディスプレイ部１７の画面表示が中止される。
【００６６】
ただし液晶ディスプレイ部１７の上カバー１５開放前の表示内容は、制御部３１中のＲＡＭ３９で保持されているので、当該蓋開閉検出部３６が上カバー１５の閉鎖を検出した場合、再び液晶ディスプレイ部１７に画面表示する。
【００６７】
上カバー１５の閉鎖を蓋開閉検出部３６が検出すると、電子回路１７、３３〜３５、４４〜４８などへの電源供給が再開される。もちろんこの時の供給電力は、例えば駆動回路４４などの非動作時における最低限の電力である。
【００６８】
具体的には、例えばテープカートリッジの交換にともなう上カバー１５の開閉の際の内部システム１０Ｅの動作が、これに該当する。テープカートリッジ交換の前後で同じ表示内容を直ちに利用することができる。
【００６９】
また、従来の文字情報処理装置のように、上カバー開放時には電源供給を停止し、再び上カバーを閉鎖してもそれだけでは電源供給が再開せず、ユーザに電源再投入を要求させてもよい。
【００７０】
制御部３１はマイクロコンピュータによって構成されており、当該入力インタフェース３７と、ＲＯＭ３８と、ＲＡＭ３９とＣＰＵ４０と、出力インタフェース４１と、キャラクタジェネレータＲＯＭ（ＣＧ−ＲＯＭ）４２と、これらを接続するシステムバス４３とから構成されている。
【００７１】
ＲＯＭ３８には、各種の処理プログラムや、かな漢字変換用辞書データなどの固定データが格納されている。
【００７２】
ＲＡＭ３９は、ワーキングメモリとして用いられるものであり、またユーザが入力した固定データを格納するものである。ＲＡＭ３９は上述したように、電源オフ時にもバックアップされていて、上カバー１５の開閉動作の前後でも液晶ディスプレイ部１７の表示内容を保持する。
【００７３】
ＣＧ−ＲＯＭ４２は、当該ラベルライタ１０に用意されている文字や記号のドットパターン又はアウトラインフォントを格納しているものであり、文字や記号を特定するコードデータが与えられたときに対応するドットパターン又はアウトラインフォントを出力するものである。ＣＧ−ＲＯＭ４２には種々のサイズの文字、記号が格納されている。
【００７４】
なお、液晶ディスプレイ部１７に対する表示用とテープに対する印刷用とで別個のＣＧ−ＲＯＭが設けられていてもよい。
【００７５】
ＣＰＵ４０は、入力部３０から供給される信号や、そのときの処理段階に応じて定まるＲＯＭ３８内の処理プログラムを、ＲＡＭ３９をワークエリアとして利用し、必要に応じてＲＯＭ３８やＲＡＭ３９に格納されている固定データを適宜用いて処理するものである。その処理状況や処理結果は液晶ディスプレイ部１７に表示させたり、前記テープに印刷させたりする。
【００７６】
出力インタフェース４１は、当該制御部３１と出力部３２のインタフェースをなす回路である。
【００７７】
出力部３２は、ヘッド駆動回路４４と、（薄膜）サーマルヘッド４５と、モータ駆動回路４６と、テープリボン送りモータ４７と、ディスプレイ駆動回路４８と、前記液晶ディスプレイ部１７とから構成されている。
【００７８】
ヘッド駆動回路４４はサーマルヘッド４５を駆動することでサーマルヘッド４５に当接しているテープに対して、上述した熱転写を行う回路である。
【００７９】
モータ駆動回路４６は、テープリボン送りモータ４７を駆動してテープをテープカートリッジから送出させる回路である。
【００８０】
ディスプレイ駆動回路４８は、液晶ディスプレイ部１７を駆動してＣＰＵ４０が指定する通りの文字列を画面表示させる回路である。
【００８１】
なお、上述したパック装着部５１にファイルパック／ＲＯＭパック３８１が装着されると、図２においては、当該ファイルパック／ＲＯＭパック３８１はシステムバス４３に接続されることになる。
【００８２】
（Ａ−２）実施形態の効果
以上のように、本実施形態によれば、液晶ディスプレイ部１７の数も上カバー１５の数も従来と同じ１つずつであるため、部品点数の増加も抑制しながらラベルライタの本体のコンパクト性を維持するとともに、液晶ディスプレイ部１７を拡大することができるので、コンパクトで操作性の良好なラベルライタを提供することが可能となる。
【００８３】
さらに、本実施形態では、本体サイズが従来とほぼ同じラベルライタを前提としても、液晶ディスプレイ部１７を拡大することができ、前記テープカートリッジ装填部５０やパック装着部５１などの内部空間を大きくすることも可能であるので、従来よりもラベルライタへのパック類の装着の設計自由度が向上し、余裕を持ってこれらを装填、装着することが可能となる。
【００８４】
なお、テープ確認窓１９、パック確認窓２０も操作性の向上に寄与する。
【００８５】
（Ｂ）他の実施形態
上記実施形態では、ラベルライタを例に説明したが、本発明は印章作成装置についても適用することが可能である。
【００８６】
また、上記実施形態では、パック装着部５１内にファイルパック／ＲＯＭパック３８１を装着するようにしたが、必要なければパック類の装着は行わないようにしてもよい。その場合パック確認窓２０は不要となる。
【００８７】
さらに、これらパック類とともに、あるいはパック類に置換して、上記実施形態のラベルライタ１０では本体底面ＢＳに収容している乾電池などを、前記パック装着部５１内に装填するようにしてもよい。これによってユーザはラベルライタ１０の本体を裏返しにするような手数をかけることなく、電池交換を行うことが可能となる。
【００８８】
さらにまた、前記液晶ディスプレイ部１７に置換して、液晶以外の物性を利用した表示デバイスを使用するようにしてもよい。
【００８９】
なお、印刷媒体としてはテープ、印章などのほか、紙などであってもよい。
【００９０】
また、前記キー１１，１２，１８は、所定ストローク押し込むことを要するタイプのキーであってもよく、触れるだけで動作するタッチパネルなどであってもよい。
【００９１】
さらに、上記では、蓋体開閉検出部３６は機械的なスイッチ動作によって上カバー１５の開閉を検出するものとしたが、必要に応じて光学的なスイッチなどを用いてもよい。
【００９２】
すなわち、本発明は、文字列を入力する複数の入力キーと、入力された文字列を表示する表示部と、印字媒体を着脱可能な内部空間である印字媒体装着部とを備え、本体上面に、当該印字媒体装着部を覆う開閉可能な蓋体と、前記入力キーとを配置した文字情報処理装置について、広く適用することができる。
【００９３】
【発明の効果】
以上に説明したように、本発明によれば、文字情報処理装置の部品点数の増加を抑制しながら装置本体のコンパクト性を維持した上で、表示部を拡大することができるので、極めて操作性が高い。また、蓋体の開放時には、文字列の表示を中止することにより、必要ならば、消費電力を節約すること等も可能になる。
【図面の簡単な説明】
【図１】実施形態に係るラベルライタの上面図である。
【図２】実施形態に係るラベルライタの電気的構成を示すブロック図である。
【図３】実施形態に係るラベルライタの斜視図である。
【図４】実施形態に係るラベルライタの上カバー開放時の斜視図である。
【図５】実施形態に係るラベルライタの上カバー開放時の左側面図である。
【符号の説明】
１０…ラベルライタ、１０Ａ…表示部、１０Ｂ…入力操作部、１１…入力キー，１２…操作キー、１５…上カバー（蓋）、１７…液晶ディスプレイ部、１９…テープ確認窓、２０…パック確認窓、５０…テープカートリッジ装填部、５１…パック装着部、３８１…ファイルパック／ＲＯＭパック、Ａ１…（上カバーの）回転軸、Ｅ１…近接エリア、Ｅ２…離間エリア、ＵＳ…上面。
【図１】
0003576018.tif 000002
【図２】
0003576018.tif 000003
【図３】
0003576018.tif 000004
【図４】
0003576018.tif 000005
【図５】
0003576018.tif 000006